(57)【要約】【課題】操作装置の前面においてスイッチ列の周囲からの近接検出が可能な静電検出センサを備えた操作装置を提供する。【解決手段】操作スイッチ（２１、２２、２３，２４）が配置されたスイッチ列２０と、スイッチ列２０の上側又は下側に配置され、操作者の指等の検出対象物が近接した２次元座標値を検出する静電検出センサ（第１静電検出センサ１２、第１静電検出センサ１４）と、静電検出センサの検出結果に基づいて、検出対象物がスイッチ列２０のいずれの操作スイッチへ近接したかを判断する判断部を備えた制御部３００と、を有して操作装置を構成する。【選択図】図１
2017126196.tif 000002
【特許請求の範囲】
【請求項１】
操作スイッチが配置されたスイッチ列と、
前記スイッチ列の上側又は下側に配置され、検出対象物が近接した２次元座標値を検出する静電検出センサと、
前記静電検出センサの検出結果に基づいて、前記検出対象物が前記スイッチ列のいずれの操作スイッチへ近接したかを判断する判断部を備えた制御部と、
を有する操作装置。
【請求項２】
前記制御部は、前記静電検出センサによる２次元座標値の時間的変化により、前記検出対象物が前記スイッチ列のいずれの操作スイッチに近接したかを判断することを特徴とする請求項１に記載の操作装置。
【請求項３】
前記静電検出センサは、前記スイッチ列の上側及び下側に、第１静電検出センサ及び第２静電検出センサとして配置され、
前記制御部は、前記第１静電検出センサ及び第２静電検出センサの検出結果に基づいて、前記検出対象物が前記スイッチ列のいずれの操作スイッチへ近接したかを判断することを特徴とする請求項１又は２に記載の操作装置。
【請求項４】
前記静電検出センサは、相互容量方式の検出センサであることを特徴とする請求項１から３のいずれか１項に記載の操作装置。
【発明の詳細な説明】
【技術分野】
【０００１】
本発明は、操作装置に関する。
【背景技術】
【０００２】
従来の技術として、制御対象を覆う透光保護カバーに設けられた透明電極と、この透明電極の対接地容量の変化を検出して検出信号を出力して制御手段を駆動する検出回路とを備えた静電容量式スイッチが提案されている。このような静電容量式スイッチを備えた操作装置（車両用計器）として、車両運行情報を表示する表示部と、表示部の前面に配置されて表示部を保護する透光保護カバーと、透光保護カバーの表示部と対応する位置に配置された透明電極を含み、透明電極の対接地容量の変化を検出して検出信号を出力する静電容量式スイッチと、静電容量式スイッチからの検出信号に基づいて表示部の表示を制御する制御部とを備えたものが知られている（特許文献１参照）。
【０００３】
特許文献１の操作装置によれば、透明保護パネルの裏側に設置された透明電極は、指などの被検知物体が透明保護パネルに近接するに従い増加する静電容量を検知して静電容量検出回路に出力する。これにより、透明電極の対接地容量の変化を検知する静電容量式のスイッチを用い、これを透光保護カバーに設置することによって、透光保護カバーに押圧などの応力を加えることなく操作を行うことができる。また、スイッチ部が外部から見えず意匠性を向上させることができると共に、スイッチ部の小型化を実現することができる、とされている。
【先行技術文献】
【特許文献】
【０００４】
【特許文献１】特開２００７−８０８０８号公報
【発明の概要】
【発明が解決しようとする課題】
【０００５】
特許文献１の操作装置は、透明電極により指等の近接検知ができ、これに基づいて操作装置の操作、例えば、表示の更新、照明のオンオフ等が可能になる。しかし、透明電極は、装置本体の一部に装着される構成であって、電極配置位置が限られ、周囲からの近接方向、座標検出が必要な場合に対応できないという問題があった。
【０００６】
従って、本発明の目的は、操作装置の前面においてスイッチ列の周囲からの近接検出が可能な静電検出センサを備えた操作装置を提供することにある。
【課題を解決するための手段】
【０００７】
［１］上記目的を達成するため、操作スイッチが配置されたスイッチ列と、前記スイッチ列の上側又は下側に配置され、検出対象物が近接した２次元座標値を検出する静電検出センサと、前記静電検出センサの検出結果に基づいて、前記検出対象物が前記スイッチ列のいずれの操作スイッチへ近接したかを判断する判断部を備えた制御部と、を有する操作装置を提供する。
【０００８】
［２］前記制御部は、前記静電検出センサによる２次元座標値の時間的変化により、前記検出対象物が前記スイッチ列のいずれの操作スイッチに近接したかを判断することを特徴とする上記［１］に記載の操作装置であってもよい。
【０００９】
［３］また、前記静電検出センサは、前記スイッチ列の上側及び下側に、第１静電検出センサ及び第２静電検出センサとして配置され、前記制御部は、前記第１静電検出センサ及び第２静電検出センサの検出結果に基づいて、前記検出対象物が前記スイッチ列のいずれの操作スイッチへ近接したかを判断することを特徴とする上記［１］又は［２］に記載の操作装置であってもよい。
【００１０】
［４］また、前記静電検出センサは、相互容量方式の検出センサであることを特徴とする上記［１］から［３］のいずれか１に記載の操作装置であってもよい。
【発明の効果】
【００１１】
本発明によれば、操作装置の前面においてスイッチ列の周囲からの近接検出が可能な静電検出センサを備えた操作装置を提供することができる。
【図面の簡単な説明】
【００１２】
【図１】図１（ａ）は、本発明の第１の実施の形態に係る操作装置の構成を示すブロック図であり、図１（ｂ）は、本発明の第１の実施の形態に係る操作装置のセンサパネルの構成を示す平面図である。
【図２】図２は、本発明の第１の実施の形態に係る操作装置の第１検出電極、第２検出電極、絶縁層の分解斜視図である。
【図３】図３（ａ）は、第１検出電極の配線パターンを示す平面図であり、図３（ｂ）は、第２検出電極の配線パターンを示す平面図である。
【図４】図４は、本発明の第１の実施の形態に係る操作装置の動作状態を示すもので、指が近接した状態における静電容量分布の状態を示すセンサパネルの平面図である。
【図５】図５（ａ）、（ｂ）は、本発明の第１の実施の形態に係る操作装置の変形例を示すセンサパネルの構成を示す平面図である。
【図６】図６（ａ）は、本発明の第２の実施の形態に係る操作装置のセンサパネルの構成を示す平面図であり、図６（ｂ）は、近接する指が操作スイッチに向けて移動した状態を示す平面図である。
【図７】図７は、本発明の第３の実施の形態に係る操作装置のセンサパネルの構成を示す平面図である。
【発明を実施するための形態】
【００１３】
（本発明の第１の実施の形態）
図１（ａ）は、本発明の第１の実施の形態に係る操作装置の構成を示すブロック図であり、図１（ｂ）は、本発明の第１の実施の形態に係る操作装置のセンサパネルの構成を示す平面図である。図２は、本発明の第１の実施の形態に係る操作装置の第１検出電極、第２検出電極、絶縁層の分解斜視図である。また、図３（ａ）は、第１検出電極の配線パターンを示す平面図であり、図３（ｂ）は、第２検出電極の配線パターンを示す平面図である。
【００１４】
（操作装置１の構成）
本願発明に係る操作装置１は、複数の操作スイッチ（２１、２２、２３，２４）が配置されたスイッチ列２０と、スイッチ列２０の上側又は下側に配置され、操作者の指等の検出対象物が近接した２次元座標値を検出する静電検出センサ（第１静電検出センサ１２、第２静電検出センサ１４）と、静電検出センサの検出結果に基づいて、検出対象物がスイッチ列２０のいずれの操作スイッチへ近接したかを判断する判断部を備えた制御部３００と、を有して構成されている。
【００１５】
上記において、操作スイッチ（２１、２２、２３，２４）は並置されてスイッチ列２０を構成している。第１静電検出センサ１２、第２静電検出センサ１４は、スイッチ列２０の両側（図２の紙面において、上側と下側）に配置されている。この第１静電検出センサ１２、第２静電検出センサ１４は、図２の紙面内の２次元座標値を検出することができる。また、操作者の指等の検出対象物が近接した２次元座標値と、その座標における静電容量値、又はそれに相当する電圧値等を検出することができる。
【００１６】
図１（ａ）、図２において、センサパネル１０を制御する制御部３００は、Ｙ電極部２１０（第２検出電極２００）を駆動する駆動部３１０と、Ｘ電極部１１０（第１検出電極１００）から静電容量を読み出す読出部３２０と、を備えている。
【００１７】
駆動部３１０は、制御部３００から出力される駆動信号Ｓ１に基づいた周期的な電流をＹ電極部２１０（第２検出電極２００）に、順次、電圧供給するように構成されている。
【００１８】
読出部３２０は、１つのＹ電極部２１０（第２検出電極２００）が駆動されている間に、Ｘ電極部１１０（第１検出電極１００）との接続を順次切り替えて静電容量を読み出すように構成されている。読出部３２０は、閾値３３０を有し、読み出した静電容量と閾値３３０とを比較して近接検出を行ない、近接検出点の座標の情報を含む検出点情報Ｓ２である座標（Ｘ、Ｙ）を出力するように構成されている。この検出点の座標の算出は、一例として、加重平均により行われる。
【００１９】
（制御部３００）
制御部３００は、例えば、ＣＰＵ（Central Processing Unit）、半導体メモリであるＲＡＭ（Random Access Memory）及びＲＯＭ（Read Only Memory）等から構成されるマイクロコンピュータである。制御部３００は、上記したように、電極駆動のために駆動部３１０へ駆動信号Ｓ１を出力すると共に、検出点の検出点情報Ｓ２である座標（Ｘ、Ｙ）を取得する。
【００２０】
また、制御部３００は、ＬＩＮ、ＣＡＮ等の車載ＬＡＮ４００を介して、空調装置５１０、オーディオ装置５２０等に接続されている。
【００２１】
実施の形態に係る操作装置におけるセンサパネル１０は、相互容量方式により検出点の検出点情報Ｓ２である座標（Ｘ、Ｙ）を取得する。相互容量方式は、Ｙ電極部２１０（第２検出電極２００）とＸ電極部１１０（第１検出電極１００）の各交点位置に発生する相互容量が、指等を近接させることにより変化する。この変化を、Ｙ電極部２１０（第２検出電極２００）とＸ電極部１１０（第１検出電極１００）を順次駆動して検出することにより、近接位置あるいはタッチ位置を検出する方式である。
【００２２】
（ベースフィルム５０）
図２、３に示すように、ベースフィルム５０は、第１検出電極１００及び第２検出電極２００がその上に形成されるベースとなるものであって、第１検出電極１００と第２検出電極２００を厚さ方向に略一定の間隔で保持して絶縁する絶縁層として機能する。ベースフィルム５０は、フィルム状の絶縁体である厚さ（一般的には、厚さ１２μｍから５０μｍ程度）で形成されたベースフィルム５０の両側に、第１検出電極１００と第２検出電極２００が導電材料により形成されたフレキシブルプリント基板ＦＰＣ（Flexible printed circuits）である。第１検出電極１００及び第２検出電極２００から引き出された配線部１２０、２２０は、読出部３２０、駆動部３１０に電気的に接続される。なお、ベースフィルム５０は、例えば、ポリイミド等の樹脂であり、所定の誘電率を有し、後述する第１検出電極１００と第２検出電極２００に挟まれた状態で、第１検出電極１００と第２検出電極２００の各交点において所定の静電容量を有するコンデンサとして機能する。
【００２３】
ベースフィルム５０は、図２、３に示すように、ループ形状に形成されている。すなわち、ベースフィルム５０は、外形が矩形状（長方形、正方形等）であって、中心部に中心穴領域５２を有する中心部が抜けた形状とされている。このループ形状は、装着する対象機器への配置、サイズの制約に対応して決められる。このベースフィルム５０の形状に合わせて、後述する第１検出電極１００及び第２検出電極２００の形状が決まることになる。
【００２４】
（第１検出電極１００）
第１検出電極１００は、ベースフィルム５０の上に導電材料により形成され、第１の方向に複数の検出電極が配置され、第２検出電極２００との交点に形成される静電容量値の変化により、第１の方向の座標を検出するものである。図２、３に示すように、互いに交差する第１の方向であるＸ方向と第２の方向であるＹ方向をとると、第１検出電極１００は、Ｘ方向に等間隔に複数の電極が形成され、Ｘ方向の座標を検出することができる。
【００２５】
第１検出電極１００は、ＩＴＯ（Indium Tin Oxide：酸化インジウム・スズ）等の透明電極を使用する。なお、設置位置により、銅箔等の導電材料も使用できる。
【００２６】
図２、３に示すように、第１検出電極１００は、ベースフィルム５０の矩形形状に従って形成されたＸ電極部１１０と、Ｘ電極部１１０から制御部へ配線するための配線部１２０から構成されている。図２、３に示すように、Ｘ電極部１１０のうち、ベースフィルム５０の下部１３１、右部１３２、左部１３３からは、そのまま下方向へ配線される。一方、上部１３４は、一旦上方向へ配線され、右部１３２、左部１３３のそれぞれ脇部を経由して下方向へ配線される。これにより、ベースフィルム５０の中心穴領域５２がある配置、サイズの制約にも対応が可能となる。なお、上記示した配線方法は、ベースフィルム５０の配置、サイズの制約等に応じて変更することが可能である。
【００２７】
（第２検出電極２００）
第２検出電極２００は、ベースフィルム５０の上に導電材料により形成され、第１の方向に複数の検出電極が配置され、第１検出電極１００との交点に形成される静電容量値の変化により、第２の方向の座標を検出するものである。図２、３に示すように、互いに交差する第１の方向であるＸ方向と第２の方向であるＹ方向をとると、第２検出電極２００は、Ｙ方向に等間隔に複数の電極が形成され、Ｙ方向の座標を検出することができる。
【００２８】
第２検出電極２００は、ＩＴＯ（Indium Tin Oxide：酸化インジウム・スズ）等の透明電極を使用する。なお、設置位置により、銅箔等の導電材料も使用できる。
【００２９】
図２、３に示すように、第２検出電極２００は、ベースフィルム５０の矩形形状に従って形成されたＹ電極部２１０と、Ｙ電極部２１０から制御部へ配線するための配線部２２０から構成されている。図２、３に示すように、Ｙ電極部２１０のうち、ベースフィルム５０の下部２３１、右部２３２からは、右部２３２の脇部を経由して下方向へ配線される。また、左部２３３、上部２３４は、左部２３３の脇部を経由して下方向へ配線される。これにより、ベースフィルム５０の中心穴領域５２がある配置、サイズの制約にも対応が可能となる。なお、上記示した配線方法は、ベースフィルム５０の配置、サイズの制約等に応じて変更することが可能である。
【００３０】
（第１の実施の形態の適用例）
図１（ｂ）に示したように、本実施の形態に係る操作装置を車載用の空調装置に適用する。図４は、本発明の第１の実施の形態に係る操作装置の動作状態を示すもので、指が近接した状態における静電容量分布の状態を示すセンサパネルの平面図である。
【００３１】
図４に示すように、センサパネル１０は、例えば、車両に搭載された空調装置５１０を操作するための操作装置の前面に装着される。図２〜４に示すように、センサパネル１０は、前述したように、第１検出電極１００、第２検出電極２００、及びベースフィルム５０を積層して一体化したパネル状のものである。このセンサパネル１０のベースフィルム５０の中心穴領域５２には、前記したスイッチ列２０（操作スイッチ２１、２２、２３，２４）が配置されている。センサパネル１０は、操作者が操作意図をもってこの操作装置の前面に指５００を近接させた場合に、その指５００の近接位置をＸ、Ｙの座標値、及び、その座標における静電容量値（静電容量値に対応する電圧等の出力値）として検出することができる。これにより、どの操作スイッチ２１、２２、２３，２４を操作しようとしているのか、すなわち、操作者の操作意図を判断することができる。
【００３２】
（検出動作）
制御部３００は、以下に示すような処理をアルゴリズムとする判断部により検出動作を行なう。まず、制御部３００は、閾値３３０を超えた第１検出電極１００、第２検出電極２００上のＸ、Ｙにおける静電容量値のカウント値を検出する。すなわち、センサパネル１０に対して下方向から指５００が近接すると、図４に示すように、例えば、操作スイッチ２２に近接する領域の静電容量値のカウント値の分布が得られる。この閾値３３０を超えた静電容量値のカウント値の分布は、指先の近接操作に応じて形成されたものである。
【００３３】
制御部３００は、図４に示すように、静電容量値のカウント値の分布から、近接点Ｐを中心点（あるいは重心）として検出座標（Ｘ、Ｙ）として算出する。
【００３４】
一方、各操作スイッチ（２１、２２、２３，２４）の中心位置座標は、それぞれ、（Ｘａ、Ｙａ）、（Ｘｂ、Ｙｂ）、（Ｘｃ、Ｙｃ）、（Ｘｄ、Ｙｄ）として、制御部３００内の記憶部に記憶されている。したがって、制御部３００は、検出座標（Ｘ、Ｙ）と各中心位置座標（Ｘａ、Ｙａ）、（Ｘｂ、Ｙｂ）、（Ｘｃ、Ｙｃ）、（Ｘｄ、Ｙｄ）との距離を算出することにより、近接点Ｐ（Ｘ、Ｙ）が、どの操作スイッチ（２１、２２、２３，２４）に近いかを判断することができる。
【００３５】
上記の検出動作は、制御部３００による駆動部３１０、読出部３２０の駆動時間を適切に設定することにより、リアルタイムで近接操作による指先の位置を判断できる。これにより、操作者がどの操作スイッチ（２１、２２、２３，２４）を操作しようとしているのかの近接検出が可能となる。
【００３６】
図４は、操作者が下方向から指５００を操作スイッチに向かって近接させた例であるが、操作者が上方向から指５００を操作スイッチに向かって近接させた場合は、第２静電検出センサ１４が近接点Ｐ（Ｘ、Ｙ）を検出することになる。したがって、スイッチ列２０の上側又は下側に静電検出センサ（第１静電検出センサ１２、第２静電検出センサ１４）を配置した構成では、どの方向からスイッチ列２０に指５００が近接しても、近接検出が可能である。
【００３７】
（変形例）
図５（ａ）、（ｂ）は、本発明の第１の実施の形態に係る操作装置の変形例を示すセンサパネルの構成を示す平面図である。図５（ａ）は、スイッチ列２０（操作スイッチ２１、２２、２３，２４）の下側のみに静電検出センサ（第１静電検出センサ１２）を配置した例である。また、図５（ｂ）は、スイッチ列２０（操作スイッチ２１、２２、２３，２４）の上側のみに静電検出センサ（第２静電検出センサ１４）を配置した例である。例えば、車両内のインストルメントパネル内にセンサパネル１０が配置される場合等は、操作者がどちらの方向から指を近接させて操作するかが決まる場合がある。そのような場合は、この変形例のように、下側のみ、上側のみに静電検出センサを配置する構成も可能である。
【００３８】
（第１の実施の形態の効果）
第１の実施の形態によれば、各操作スイッチへ指の近接操作を行なう場合、操作スイッチ内に電極配置がなくても操作スイッチ周辺に位置、座標検出可能な静電検出センサを配置することで、近接検出が可能となる。これにより、操作装置の前面においてスイッチ列の周囲からの近接検出が可能な静電検出センサを備えた操作装置を提供することができる。特に、車両に適用する場合は、操作スイッチが左右に並列してスイッチ列を構成する場合がある。また、運転席と助手席から操作される場合が多いので、横に並置されたスイッチ列２０の下側、上側に静電検出センサを配置する本実施の形態に係る構成は有効である。
【００３９】
（本発明の第２の実施の形態）
本発明の第２の実施の形態は、制御部３００が、静電検出センサによる２次元座標値の時間的変化により、検出対象物がスイッチ列のいずれの操作スイッチに近接したかを判断する構成としたものである。
【００４０】
図６（ａ）は、本発明の第２の実施の形態に係る操作装置のセンサパネルの構成を示す平面図であり、図６（ｂ）は、近接する指が操作スイッチに向けて移動した状態を示す平面図である。
【００４１】
第２の実施の形態は、静電検出センサによる２次元座標値の時間的変化を検出し、これに基づいてどの操作スイッチに近接するかを判断する。この判断手法は種々の方法が考えられるが、以下に、判断手法の一例を示す。
【００４２】
（検出動作）
制御部３００は、閾値３３０を超えた第１検出電極１００、第２検出電極２００上のＸ、Ｙにおける静電容量値のカウント値を検出する。すなわち、センサパネル１０に対して下方向から指が近接すると、図６（ａ）に示すように、例えば、操作スイッチ２３に近接する領域の静電容量値のカウント値の分布が得られる。この閾値３３０を超えた静電容量値のカウント値の分布は、指先の近接操作に応じて形成されたものである。
【００４３】
制御部３００は、図６（ａ）に示すように、静電容量値のカウント値の分布から、近接点Ｐ１を中心点（あるいは重心）として検出座標Ｐ１（Ｘ１、Ｙ１）として算出する。
【００４４】
一定の時間間隔をおいて、同様の検出動作を行なう。制御部３００は、閾値３３０を超えた第１検出電極１００、第２検出電極２００上のＸ、Ｙにおける静電容量値のカウント値を検出する。すなわち、センサパネル１０に対して下方向から指が近接すると、図６（ｂ）に示すように、例えば、操作スイッチ２２に近接する領域の静電容量値のカウント値の分布が得られる。この閾値３３０を超えた静電容量値のカウント値の分布は、指先の近接操作に応じて形成されたものである。
【００４５】
制御部３００は、図６（ｂ）に示すように、静電容量値のカウント値の分布から、近接点Ｐ２を中心点（あるいは重心）として検出座標Ｐ２（Ｘ２、Ｙ２）として算出する。
【００４６】
制御部３００は、検出座標Ｐ１（Ｘ１、Ｙ１）と検出座標Ｐ２（Ｘ２、Ｙ２）から、図６（ｂ）に示すように、２次元座標上の直線Ｌを算出する。すなわち、検出座標Ｐ１（Ｘ１、Ｙ１）、Ｐ２（Ｘ２、Ｙ２）から、直線Ｌの方向ベクトルを算出し、これと、Ｐ１（Ｘ１、Ｙ１）とから直線Ｌが算出できる。
【００４７】
制御部３００は、図６（ｂ）に示す各操作スイッチ（２１、２２、２３，２４）の中心位置座標（Ｘａ、Ｙａ）、（Ｘｂ、Ｙｂ）、（Ｘｃ、Ｙｃ）、（Ｘｄ、Ｙｄ）から、それぞれ、直線Ｌへの垂線の距離を求める。この垂線の距離が最も小さい値である操作スイッチ（２１、２２、２３，２４）に指が向かって近接していると判断することができる。
【００４８】
上記の近接検出は、繰り返して実行することにより、リアルタイムで近接検出が可能である。
【００４９】
図６（ａ）、（ｂ）は、操作者が下方向から指を操作スイッチに向かって近接させた例であるが、操作者が上方向から指を操作スイッチに向かって近接させた場合は、第２静電検出センサ１４が近接点Ｐ１、Ｐ２を検出することになる。したがって、スイッチ列２０の上側又は下側に静電検出センサ（第１静電検出センサ１２、第２静電検出センサ１４）を配置した構成では、どの方向からスイッチ列２０に指が近接しても、近接検出が可能である。
【００５０】
（第２の実施の形態の効果）
第２の実施の形態によれば、静電検出センサによる２次元座標値の時間的変化により、検出対象物がスイッチ列のいずれの操作スイッチに近接したかを判断するので、第１の実施の形態以上の検出精度で指の近接判断が可能となる。
【００５１】
（本発明の第３の実施の形態）
本発明の第３の実施の形態は、スイッチ列が２段に配列された構成である。
【００５２】
図７は、本発明の第３の実施の形態に係る操作装置のセンサパネルの構成を示す平面図である。上側のスイッチ列２０（２１、２２、２３，２４）は、例えば、車両の空調装置の操作スイッチとされ、下側のスイッチ列３０（３１、３２、３３，３４）は、例えば、車両のオーディオ機器の操作スイッチとされている。
【００５３】
２段のスイッチ列２０、３０の下側に第１静電検出センサ１２、上側に第２静電検出センサ１４が配置されている。第１の実施の形態及び第２の実施の形態と同様に、静電容量値のカウント値の分布から、近接点Ｐを検出する。あるいは、一定の時間間隔をおいて近接点Ｐ１、Ｐ２を検出する。これにより、第１の実施の形態及び第２の実施の形態と同様に、リアルタイムで近接検出が可能である。
【００５４】
（第３の実施の形態の効果）
第３の実施の形態によれば、２段のスイッチ列２０、３０を有する構成でも、上側及び下側に、第１静電検出センサ１２及び第２静電検出センサ１４を配置しているので、精度よく指の近接判断が可能である。
【００５５】
以上、本発明の実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００５６】
１…操作装置
１０…センサパネル
１２…第１静電検出センサ
１４…第２静電検出センサ
２０、３０…スイッチ列
２１、２２、２３、２４、３１，３２、３３、３４…操作スイッチ
５０…ベースフィルム
５２…中心穴領域
１００…第１検出電極
１１０…Ｘ電極部
１２０…配線部
１３１…下部
１３２…右部
１３３…左部
１３４…上部
２００…第２検出電極
２１０…Ｙ電極部
２２０…配線部
２３１…下部
２３２…右部
２３３…左部
２３４…上部
３００…制御部
３１０…駆動部
３２０…読出部
３３０…閾値
４００…車両ＬＡＮ
５００…指
５１０…空調装置
５２０…オーディオ装置
Ｓ１…駆動信号
Ｓ２…検出点情報
【図１】
2017126196.tif 000003
【図２】
2017126196.tif 000004
【図３】
2017126196.tif 000005
【図４】
2017126196.tif 000006
【図５】
2017126196.tif 000007
【図６】
2017126196.tif 000008
【図７】
2017126196.tif 000009